(57)【特許請求の範囲】
【請求項１】
撮影画面内の平均的な被写体輝度と中央部の被写体輝度を測定する測光手段と、
前記撮影画面内の中央部を含む複数領域の測距を行い主要被写体を検出する測距手段と、
少なくとも、前記測光手段による測定結果に基づいて撮影画面内の平均的な被写体輝度と中央部の被写体輝度を判定する輝度判定手段と、
少なくとも、前記輝度判定手段による判定結果に基づいて露出制御を行う露出制御手段と、を有するカメラにおいて、
前記露出制御手段は、前記輝度判定手段によって、前記測光手段で測定した前記撮影画面内の平均的な被写体輝度が所定輝度よりも高輝度であると判定された場合には、前記測距手段により検出された主要被写体の存在する測距領域の像データに基づいて輝度を求めて露出制御を行い、
前記輝度判定手段は、該輝度判定手段によって、前記測光手段で測定した前記撮影画面内の平均的な被写体輝度が前記所定輝度よりも低輝度であると判定された場合には、前記測光手段による平均的な被写体輝度と中央部の被写体輝度を比較して前記平均的な被写体輝度と前記中央部の被写体輝度の輝度差を求め、
前記露出制御手段は、前記輝度判定手段によって、前記中央部の被写体輝度が前記平均的な被写体輝度よりも低輝度で、かつ前記平均的な被写体輝度と前記中央部の被写体輝度との差が所定輝度差よりも大きいと判定されたときには前記中央部の被写体輝度に基づいて露出制御を行い、前記中央部の被写体輝度が前記平均的な被写体輝度よりも低輝度で、かつ前記平均的な被写体輝度と前記中央部の被写体輝度との差が所定輝度差よりも小さいかまたは前記中央部の被写体輝度の方が前記平均的な被写体輝度よりも高輝度であると判定されたときには、前記平均的な被写体輝度に基づいて露出制御を行うことを特徴とするカメラ。
【請求項２】
撮影画面内の平均的な被写体輝度と中央部の被写体輝度を測定する測光手段と、
前記撮影画面内の中央部を含む複数領域の測距を行い主要被写体を検出する測距手段と、
少なくとも、前記測光手段による測定結果に基づいて撮影画面内の平均的な被写体輝度と中央部の被写体輝度を判定する輝度判定手段と、
少なくとも、前記輝度判定手段による判定結果に基づいて露出制御を行う露出制御手段と、を有するカメラにおいて、
前記輝度判定手段は、該輝度判定手段によって、前記測光手段で測定した前記撮影画面内の平均的な被写体輝度が所定輝度よりも高輝度であると判定された場合には、前記測距手段により検出された主要被写体の存在する測距領域の像データに基づいて主要被写体の輝度を判定し、
前記露出制御手段は、前記輝度判定手段によって、前記測光手段で測定した平均的な被写体輝度と前記測距手段で測定した主要被写体の輝度との差が所定値よりも小さいと判定されたときには前記測光手段による平均的な被写体輝度、大きいと判定されたときには前記測距手段による主要被写体の輝度により露出制御を行い、
前記輝度判定手段は、該輝度判定手段によって、前記測光手段で測定した前記撮影画面内の平均的な被写体輝度が前記所定輝度よりも低輝度であると判定された場合には、前記測光手段による平均的な被写体輝度と中央部の被写体輝度を比較して前記平均的な被写体輝度と前記中央部の被写体輝度の輝度差を求め、
前記露出制御手段は、前記輝度判定手段によって、前記中央部の被写体輝度が前記平均的な被写体輝度よりも低輝度で、かつ前記平均的な被写体輝度と前記中央部の被写体輝度との差が所定輝度差よりも大きいと判定されたときには前記中央部の被写体輝度に基づいて露出制御を行い、前記中央部の被写体輝度が前記平均的な被写体輝度よりも低輝度で、かつ前記平均的な被写体輝度と前記中央部の被写体輝度との差が所定輝度差よりも小さいかまたは前記中央部の被写体輝度の方が前記平均的な被写体輝度よりも高輝度であると判定されたときには、前記平均的な被写体輝度に基づいて露出制御を行うことを特徴とするカメラ。
【請求項３】
撮影画面内の平均的な被写体輝度と中央部の被写体輝度を測定する測光手段と、
前記撮影画面内の中央部を含む複数領域の測距を行い主要被写体を検出する測距手段と、
撮影時に被写体を照明するための電子閃光手段と、
少なくとも、前記測光手段による測定結果に基づいて撮影画面内の平均的な被写体輝度と中央部の被写体輝度を判定する輝度判定手段と、
少なくとも、前記輝度判定手段による判定結果に基づいて露出制御を行う露出制御手段と、を有するカメラにおいて、
前記輝度判定手段は、該輝度判定手段によって、前記測光手段で測定した前記撮影画面内の平均的な被写体輝度が所定輝度より高輝度であると判定された場合には、前記測距手段により検出された主要被写体の存在する測距領域の像データに基づいて主要被写体の輝度を判定し、
前記露出制御手段は、前記輝度判定手段によって、前記測光手段で測定した前記平均的な被写体輝度よりも前記測距手段で測定した前記主要被写体の輝度の方が高輝度または前記平均的な被写体輝度と前記主要被写体の輝度との差が所定値よりも小さいと判定されたときには前記測光手段による前記平均的な被写体輝度により露出制御を行い、大きいと判定されたときには前記電子閃光手段を発光させて露出制御を行い、
前記輝度判定手段は、該輝度判定手段によって、前記撮影画面内の平均的な被写体輝度が前記所定輝度よりも低輝度であると判定された場合には、前記測光手段による平均的な被写体輝度と中央部の被写体輝度を比較して前記平均的な被写体輝度と前記中央部の被写体輝度の輝度差を求め、
前記露出制御手段は、前記輝度判定手段によって、前記中央部の被写体輝度が前記平均的な被写体輝度よりも低輝度で、かつ前記平均的な被写体輝度と前記中央部の被写体輝度との差が所定輝度差よりも大きいと判定されたときには前記中央部の被写体輝度に基づいて露出制御を行い、前記中央部の被写体輝度が前記平均的な被写体輝度よりも低輝度で、かつ前記平均的な被写体輝度と前記中央部の被写体輝度との差が所定輝度差よりも小さいかまたは前記中央部の被写体輝度の方が前記平均的な被写体輝度よりも高輝度であると判定されたときには、前記平均的な被写体輝度に基づいて露出制御を行うことを特徴とするカメラ。
【請求項４】
撮影画面内の平均的な被写体輝度と中央部の被写体輝度を測定する測光手段と、
前記撮影画面内の中央部を含む複数領域の測距を行い主要被写体を検出する測距手段と、
撮影時に被写体を照明するための電子閃光手段と、
少なくとも、前記測光手段による測定結果に基づいて撮影画面内の平均的な被写体輝度と中央部の被写体輝度を判定する輝度判定手段と、
前記輝度判定手段による判定結果に基づいて撮影シーンの逆光判定を行う逆光判定手段と、
少なくとも、前記輝度判定手段による判定結果に基づいて露出制御を行う露出制御手段と、を有するカメラにおいて、
前記逆光判定手段は、前記輝度判定手段によって、前記測光手段で測定した前記撮影画面内の平均的な被写体輝度が所定輝度よりも高輝度であると判定された場合には、前記測距手段の各測距領域の像データに基づいて逆光判定を行い、
前記露出制御手段は、前記逆光判定手段によって逆光でないと判定されたときには前記測光手段による平均測光値により露出制御を行い、逆光であると判定されたときには前記電子閃光手段を発光させて露出制御を行い、
前記輝度判定手段は、該輝度判定手段によって、測光手段で測定した前記撮影画面内の平均的な被写体輝度が前記所定輝度よりも低輝度であると判定された場合には、前記測光手段による平均的な被写体輝度と中央部の被写体輝度を比較して前記平均的な被写体輝度と前記中央部の被写体輝度の輝度差を求め、
前記露出制御手段は、前記輝度判定手段によって、前記中央部の被写体輝度が前記平均的な被写体輝度よりも低輝度で、かつ前記平均的な被写体輝度と前記中央部の被写体輝度との差が所定輝度差よりも大きいと判定されたときには前記中央部の被写体輝度に基づいて露出制御を行い、前記中央部の被写体輝度が前記平均的な被写体輝度よりも低輝度で、かつ前記平均的な被写体輝度と前記中央部の被写体輝度との差が所定輝度差よりも小さいかまたは前記中央部の被写体輝度の方が前記平均的な被写体輝度よりも高輝度であると判定されたときには、前記平均的な被写体輝度に基づいて露出制御を行うことを特徴とするカメラ。
【発明の詳細な説明】
【０００１】
【発明の属する技術分野】
本発明は、カメラに係り、特に、カメラの露出制御に関する。
【０００２】
【従来の技術】
従来、カメラの露出制御に関して、逆光時に、主要被写体が露出アンダーとなるのを防ぐために、日中シンクロ撮影を自動的に行うようにしている。
【０００３】
この際、日中シンクロ撮影を自動的に行うかどうかを判断する逆光判定方法として、特許第２９３４７２号公報に開示されている方法が知られている。
【０００４】
すなわち、この逆光判定方法によると、撮影画面の中央領域と周辺領域の輝度を測定する測光センサ出力に基づく逆光判定と、焦点検出を行うためのイメージセンサの出力に基づく逆光判定が行われている。
【０００５】
そして、この二つの逆光判定のいずれかで逆光であると判定された場合に、逆光撮影であると判断し、日中シンクロ撮影を行うようにしている。
【０００６】
【発明が解決しようとする課題】
上述した特許第２９３４７２号公報に開示されている逆光判定方法では、測光センサを用いた逆光判定と、イメージセンサを用いた逆光判定とをそれぞれ独立に行うようにしている点については記載がある。
【０００７】
しかるに、この特許第２９３４７２号公報には、測光センサと、イメージセンサとの二つのセンサを組み合わせた逆光判定や、測光センサと、イメージセンサとの二つのセンサを被写体輝度に応じた使い分けに関しては記載がない。
【０００８】
また、一般に、従来の技術によるカメラの露出制御では、雪山などでの撮影で背景が高輝度である場合には、迷光やクロストークの影響により測光センサによる逆光判定が、非常に困難であるという問題を有している。
【０００９】
本発明は、上記の事情に鑑みてなされたもので、従来の技術では、測光が困難なシーンである高輝度の逆光撮影時の問題を解決し、美しい写真を撮影することのできるカメラを提供することを目的とする。
【００１０】
【課題を解決するための手段】
本発明によると、上記課題を解決するために、
（１）  撮影画面内の平均的な被写体輝度と中央部の被写体輝度を測定する測光手段と、
前記撮影画面内の中央部を含む複数領域の測距を行い主要被写体を検出する測距手段と、
少なくとも、前記測光手段による測定結果に基づいて撮影画面内の平均的な被写体輝度と中央部の被写体輝度を判定する輝度判定手段と、
少なくとも、前記輝度判定手段による判定結果に基づいて露出制御を行う露出制御手段と、を有するカメラにおいて、
前記露出制御手段は、前記輝度判定手段によって、前記測光手段で測定した前記撮影画面内の平均的な被写体輝度が所定輝度よりも高輝度であると判定された場合には、前記測距手段により検出された主要被写体の存在する測距領域の像データに基づいて輝度を求めて露出制御を行い、
前記輝度判定手段は、該輝度判定手段によって、前記測光手段で測定した前記撮影画面内の平均的な被写体輝度が前記所定輝度よりも低輝度であると判定された場合には、前記測光手段による平均的な被写体輝度と中央部の被写体輝度を比較して前記平均的な被写体輝度と前記中央部の被写体輝度の輝度差を求め、
前記露出制御手段は、前記輝度判定手段によって、前記中央部の被写体輝度が前記平均的な被写体輝度よりも低輝度で、かつ前記平均的な被写体輝度と前記中央部の被写体輝度との差が所定輝度差よりも大きいと判定されたときには前記中央部の被写体輝度に基づいて露出制御を行い、前記中央部の被写体輝度が前記平均的な被写体輝度よりも低輝度で、かつ前記平均的な被写体輝度と前記中央部の被写体輝度との差が所定輝度差よりも小さいかまたは前記中央部の被写体輝度の方が前記平均的な被写体輝度よりも高輝度であると判定されたときには、前記平均的な被写体輝度に基づいて露出制御を行うことを特徴とするカメラが提供される。
【００１１】
また、本発明によると、上記課題を解決するために、
（２）  撮影画面内の平均的な被写体輝度と中央部の被写体輝度を測定する測光手段と、
前記撮影画面内の中央部を含む複数領域の測距を行い主要被写体を検出する測距手段と、
少なくとも、前記測光手段による測定結果に基づいて撮影画面内の平均的な被写体輝度と中央部の被写体輝度を判定する輝度判定手段と、
少なくとも、前記輝度判定手段による判定結果に基づいて露出制御を行う露出制御手段と、を有するカメラにおいて、
前記輝度判定手段は、該輝度判定手段によって、前記測光手段で測定した前記撮影画面内の平均的な被写体輝度が所定輝度よりも高輝度であると判定された場合には、前記測距手段により検出された主要被写体の存在する測距領域の像データに基づいて主要被写体の輝度を判定し、
前記露出制御手段は、前記輝度判定手段によって、前記測光手段で測定した平均的な被写体輝度と前記測距手段で測定した主要被写体の輝度との差が所定値よりも小さいと判定されたときには前記測光手段による平均的な被写体輝度、大きいと判定されたときには前記測距手段による主要被写体の輝度により露出制御を行い、
前記輝度判定手段は、該輝度判定手段によって、前記測光手段で測定した前記撮影画面内の平均的な被写体輝度が前記所定輝度よりも低輝度であると判定された場合には、前記測光手段による平均的な被写体輝度と中央部の被写体輝度を比較して前記平均的な被写体輝度と前記中央部の被写体輝度の輝度差を求め、
前記露出制御手段は、前記輝度判定手段によって、前記中央部の被写体輝度が前記平均的な被写体輝度よりも低輝度で、かつ前記平均的な被写体輝度と前記中央部の被写体輝度との差が所定輝度差よりも大きいと判定されたときには前記中央部の被写体輝度に基づいて露出制御を行い、前記中央部の被写体輝度が前記平均的な被写体輝度よりも低輝度で、かつ前記平均的な被写体輝度と前記中央部の被写体輝度との差が所定輝度差よりも小さいかまたは前記中央部の被写体輝度の方が前記平均的な被写体輝度よりも高輝度であると判定されたときには、前記平均的な被写体輝度に基づいて露出制御を行うことを特徴とするカメラが提供される。
【００１２】
また、本発明によると、上記課題を解決するために、
（３）撮影画面内の平均的な被写体輝度と中央部の被写体輝度を測定する測光手段と、
前記撮影画面内の中央部を含む複数領域の測距を行い主要被写体を検出する測距手段と、
撮影時に被写体を照明するための電子閃光手段と、
少なくとも、前記測光手段による測定結果に基づいて撮影画面内の平均的な被写体輝度と中央部の被写体輝度を判定する輝度判定手段と、
少なくとも、前記輝度判定手段による判定結果に基づいて露出制御を行う露出制御手段と、を有するカメラにおいて、
前記輝度判定手段は、該輝度判定手段によって、前記測光手段で測定した前記撮影画面内の平均的な被写体輝度が所定輝度より高輝度であると判定された場合には、前記測距手段により検出された主要被写体の存在する測距領域の像データに基づいて主要被写体の輝度を判定し、
前記露出制御手段は、前記輝度判定手段によって、前記測光手段で測定した前記平均的な被写体輝度よりも前記測距手段で測定した前記主要被写体の輝度の方が高輝度または前記平均的な被写体輝度と前記主要被写体の輝度との差が所定値よりも小さいと判定されたときには前記測光手段による前記平均的な被写体輝度により露出制御を行い、大きいと判定されたときには前記電子閃光手段を発光させて露出制御を行い、
前記輝度判定手段は、該輝度判定手段によって、前記撮影画面内の平均的な被写体輝度が前記所定輝度よりも低輝度であると判定された場合には、前記測光手段による平均的な被写体輝度と中央部の被写体輝度を比較して前記平均的な被写体輝度と前記中央部の被写体輝度の輝度差を求め、
前記露出制御手段は、前記輝度判定手段によって、前記中央部の被写体輝度が前記平均的な被写体輝度よりも低輝度で、かつ前記平均的な被写体輝度と前記中央部の被写体輝度との差が所定輝度差よりも大きいと判定されたときには前記中央部の被写体輝度に基づいて露出制御を行い、前記中央部の被写体輝度が前記平均的な被写体輝度よりも低輝度で、かつ前記平均的な被写体輝度と前記中央部の被写体輝度との差が所定輝度差よりも小さいかまたは前記中央部の被写体輝度の方が前記平均的な被写体輝度よりも高輝度であると判定されたときには、前記平均的な被写体輝度に基づいて露出制御を行うことを特徴とするカメラが提供される。
【００１３】
また、本発明によると、上記課題を解決するために、
（４）撮影画面内の平均的な被写体輝度と中央部の被写体輝度を測定する測光手段と、
前記撮影画面内の中央部を含む複数領域の測距を行い主要被写体を検出する測距手段と、
撮影時に被写体を照明するための電子閃光手段と、
少なくとも、前記測光手段による測定結果に基づいて撮影画面内の平均的な被写体輝度と中央部の被写体輝度を判定する輝度判定手段と、
前記輝度判定手段による判定結果に基づいて撮影シーンの逆光判定を行う逆光判定手段と、
少なくとも、前記輝度判定手段による判定結果に基づいて露出制御を行う露出制御手段と、を有するカメラにおいて、
前記逆光判定手段は、前記輝度判定手段によって、前記測光手段で測定した前記撮影画面内の平均的な被写体輝度が所定輝度よりも高輝度であると判定された場合には、前記測距手段の各測距領域の像データに基づいて逆光判定を行い、
前記露出制御手段は、前記逆光判定手段によって逆光でないと判定されたときには前記測光手段による平均測光値により露出制御を行い、逆光であると判定されたときには前記電子閃光手段を発光させて露出制御を行い、
前記輝度判定手段は、該輝度判定手段によって、測光手段で測定した前記撮影画面内の平均的な被写体輝度が前記所定輝度よりも低輝度であると判定された場合には、前記測光手段による平均的な被写体輝度と中央部の被写体輝度を比較して前記平均的な被写体輝度と前記中央部の被写体輝度の輝度差を求め、
前記露出制御手段は、前記輝度判定手段によって、前記中央部の被写体輝度が前記平均的な被写体輝度よりも低輝度で、かつ前記平均的な被写体輝度と前記中央部の被写体輝度との差が所定輝度差よりも大きいと判定されたときには前記中央部の被写体輝度に基づいて露出制御を行い、前記中央部の被写体輝度が前記平均的な被写体輝度よりも低輝度で、かつ前記平均的な被写体輝度と前記中央部の被写体輝度との差が所定輝度差よりも小さいかまたは前記中央部の被写体輝度の方が前記平均的な被写体輝度よりも高輝度であると判定されたときには、前記平均的な被写体輝度に基づいて露出制御を行うことを特徴とするカメラが提供される。
【００１４】
【発明の実施の形態】
以下図面を参照して本発明の実施の形態について説明する。
【００１５】
（第１の実施の形態）
図１は、本発明のカメラの主要部の構成を示すブロック図であり、図１において、参照符号１０１は、撮影画面内の被写体輝度情報の測定を行う測光手段であり、参照符号１０２は、撮影画面内の被写体距離情報の測定を行う測距手段である。
【００１６】
また、参照符号１０３は、前記測距手段１０２からの測距情報を基にピント調節用レンズの駆動を行うレンズ駆動手段であり、参照符号１０４は、フィルムヘの露光を行うシャッタ手段である。
【００１７】
また、参照符号１０５は、フィルムの巻き上げ、巻き戻しを行うフィルム給送手段であり、参照符号１０６は、後述するような低輝度時や逆光時に発光を行って、被写体を照明するための電子閃光手段としてのストロボである。
【００１８】
また、参照符号１０７は、撮影レンズの焦点距離情報を検出する焦点距離検出手段であり、参照符号１０８は、各種設定値、調整値等を記憶するＥＥＰＲＯＭ等の不揮発性メモリである。
【００１９】
また、参照符号１０９は、カメラ全体のシーケンスの制御や演算等を行うＣＰＵであり、参照符号１１０は、測距・測光等の撮影に必要な被写体情報の測定・演算の実行をカメラ指示するためのファーストレリーズスイッチ（１ＲＳＷ）である。
【００２０】
また、参照符号１１１は、前記１ＲＳＷ１１０をオンすることによって測定、演算された被写体情報に基づいて、撮影の実行をカメラに指示するためのセカンドレリーズスイッチ（２ＲＳＷ）である。
【００２１】
また、参照符号１１２は、前記測光手段１０１によって測定された撮影画面内の平均輝度に基づいて、撮影シーンが高輝度であるか否かを判定する輝度判定手段である。
【００２２】
また、参照符号１１３は、前記輝度判定手段１１２及び後述する逆光判定手段１１４によって選択される輝度情報や前記ストロボ１０６の発光の要否情報に基づいて、前記シャッタ手段１０４やストロボ１０６を制御して露光を行う露出制御手段である。
【００２３】
また、参照符号１１４は、前記測光手段１０１及び前記測距手段１０２によって測定された撮影画面内の輝度情報に基づいて、逆光判定を行う逆光判定手段である。
【００２４】
図２は、本発明のカメラにおける前記測光手段１０１の内部構成を示すブロック図であり、図２において、参照符号１２１は、撮影画面内の光成分を後述する平均測光センサ１２２及びスポット測光センサ１２５に導くための測光レンズである。
【００２５】
また、参照符号１２２は、前記測光レンズ１２１によって導かれた撮影画面内の平均輝度を測定する平均測光センサであり、参照符号１２３は、前記平均測光センサ１２２及びスポット測光センサ１２５の積分動作の制御を行う測光用積分制御手段である。
【００２６】
また、参照符号１２４は、前記平均測光センサ１２２及びスポット測光センサ１２５の積分出力をアナログ／デジタル（Ａ／Ｄ）変換するＡ／Ｄ変換手段であり、参照符号１２５は、前記測光レンズ１２１によって導かれた撮影画面内の中央部の輝度を測定するスポット測光センサである。
【００２７】
図３は、本発明のカメラにおける前記測距手段１０２の内部構成を示すブロック図であり、図３において、参照符号１３１ａ、１３１ｂは、被写体像を後述するラインセンサ１３２ａ、１３２ｂ上に結像させるための受光レンズである。
【００２８】
また、参照符号１３２ａ、１３２ｂは、前記受光レンズ１３１ａ、１３１ｂによって結像された被写体像をその光強度に応じて光電変換し、電気信号を出力するラインセンサである。
【００２９】
また、参照符号１３３は、前記ラインセンサ１３２ａ、１３２ｂの積分動作の制御を行う測距用積分制御手段であり、参照符号１３４は、前記ラインセンサ１３２ａ、１３２ｂより被写体像信号を読み出しＡ／Ｄ変換を行う読み出し手段である。
【００３０】
図４は、上述したように構成される第１の実施の形態によるカメラのレリーズシーケンスの手順を説明するために示すフローチャートである。
【００３１】
すなわち、図４に示すように、まず、ステップＳ１０１では、不図示のカメラの電源スイッチがオンされたときに、各種設定値、調整値等のデータをＥＥＰＲＯＭ等の不揮発性メモリ１０８から読み出して、ＣＰＵ１０９のＲＡＭに展開する処理が行われる。
【００３２】
次に、ステップＳ１０２では、不図示のカメラの電源スイッチがオフであるか否かを判定する処理が行われ、それがオフであればレリーズシーケンスを終了し、それがオンであればステップＳ１０３の処理に進む。
【００３３】
次に、ステップＳ１０３では、１ＲＳＷ１１０がオンであるか否かの判定処理が行われ、それがオンであればステップＳ１０４の処理に進み、それがオフであれば上記ステップＳ１０２の処理に戻る。
【００３４】
次に、ステップＳ１０４では、測光処理が行われ、撮影画面内の平均輝度と中央部の輝度とが測定される。
【００３５】
次に、ステップＳ１０５では、測距処理が行われ、撮影画面内の複数の各測距エリアの測距データに基づいて、最至近選択等の方法により主要被写体を検出して被写体距離データを求める処理が行われる。
【００３６】
次に、ステップＳ１０６では、上記ステップＳ１０４の測光処理で求められた撮影画面内の平均輝度が所定輝度よりも高輝度であるかどうかの判定処理が行われ、それが高輝度であればステップＳ１１７の主要被写体輝度を露出演算用のデータとして算出する処理に進み、それが低輝度であればステップＳ１０７の処理に進む。
【００３７】
次に、ステップＳ１０７では、上記ステップＳ１０４の測光処理で求められた撮影画面内の平均輝度と中央部の輝度を比較して撮影画面内の平均輝度と中央部の輝度との輝度差を求め、中央部の輝度が所定輝度差よりも低輝度であるかどうかの判定処理が行われ、それが低輝度であればステップＳ１０８の処理に進み、それが所定輝度差内または中央部の輝度の方が高輝度であればステップＳ１１６の撮影画面内の平均輝度を露出演算用のデータとして選択する処理に進む。
【００３８】
次に、ステップＳ１０８では、上記ステップＳ１０４の測光処理で求められた撮影画面内の中央部の輝度を後述する露出演算用のデータとして選択する処理が行われる。
【００３９】
次に、ステップＳ１０９では、上記ステップＳ１０８、Ｓ１１６、Ｓ１１７のいずれかで選択または算出された輝度情報に基づいて露出演算を行うことにより、露出制御データを算出する処理が行われる。
【００４０】
次に、ステップＳ１１０では、上記ステップＳ１０５で求められた被写体距離データに基づいて不図示のピント調節用レンズの繰り出し量を演算する処理が行われる。
【００４１】
次に、ステップＳ１１１では、上記１ＲＳＷ１１０がオンであるか否かの判定処理が行われ、それがオンであればステップＳ１１２の処理に進み、それがオフであれば上記ステップＳ１０２の処理に戻る。
【００４２】
次に、ステップＳ１１２では、上記２ＲＳＷ１１１がオンであるか否かの判定処理が行われ、それがオンであればステップＳ１１３の処理に進み、それがオフであれば上記ステップＳ１１１の処理に戻る。
【００４３】
次に、ステップＳ１１３では、レンズ駆動手段１０３により、上記ステップＳ１１０で求められた繰り出し量に応じて、不図示のピント調節用レンズを繰り出す処理が行われる。
【００４４】
次に、ステップＳ１１４では、シャッタ手段１０４により、上記ステップＳ１０９で求められた露出制御データに応じて、露光処理が行われる。
【００４５】
次に、ステップＳ１１５では、フィルム給送手段１０５により、フィルムの１コマ巻き上げ処理が行われた後、上記ステップＳ１０２の処理に戻る。
【００４６】
なお、上記ステップＳ１１６では、上記ステップＳ１０４の測光処理により求められた撮影画面内の平均輝度を上記ステップＳ１０９での露出演算用のデータとして選択する処理が行われる。
【００４７】
また、上記ステップＳ１１７では、ステップＳ１０５の測距処理により検出された主要被写体の輝度を算出し、上記ステップＳ１０９での露出演算用のデータとして選択するための処理が行われる。
【００４８】
（第１の実施の形態の要旨）
上述したように、第１の実施の形態によるカメラでは、まず、測光手段１０１により測光を行い、撮影画面内全体の平均輝度ＢＶ（Ａ）と、撮影画面内の中央部の輝度ＢＶ（Ｃ）とを求め、測距手段１０２により撮影画面内の中央領域を含む複数領域を測距し、最至近選択等の方法により主要被写体を検出して被写体距離データを求める。
【００４９】
次に、露出制御手段１１３は、輝度判定手段１１２によって撮影画面内の平均輝度ＢＶ（Ａ）が所定輝度ＢＶ（ＴＨ）よりも高輝度であると判定された場合（例えば、ＢＶ１０以上）には、測距手段１０２で検出した主要被写体の輝度ＢＶ（Ｍ）を、測距時に取得した被写体像データの主要被写体部の積分量Ｖ、及び積分時間Ｔを用いて、例えば、下記の（１）式のようにして算出し、この主要被写体輝度ＢＶ（Ｍ）に基づいて露出制御を行う。
【００５０】
ＢＶ（Ｍ）＝ｌｏｇＶ−ｌｏｇＴ＋ｌｏｇＫ）                  …（１）
ここで、Ｋはセンサ毎のばらつき等を補正するだめの係数である。
【００５１】
また、輝度判定手段１１２は、平均輝度ＢＶ（Ａ）が所定輝度ＢＶ（ＴＨ）よりも低輝度である場合（例えば、ＢＶ１０以下）には、測光手段１０１により求めた撮影画面内全体の平均輝度ＢＶ（Ａ）と、撮影画面内の中央部の輝度ＢＶ（Ｃ）とを比較して全体の平均輝度ＢＶ（Ａ）と中央部の輝度ＢＶ（Ｃ）との差を求める。
【００５２】
そして、露出制御手段１１３は、輝度判定手段１１２によって中央部の輝度ＢＶ（Ａ）が所定輝度差（例えば、１ＢＶ）よりも低輝度であると判定されたときには、中央部の輝度ＢＶ（Ａ）に基づいて露出制御を行い、輝度差が所定輝度差内または中央部の輝度ＢＶ（Ｃ）の方が高輝度であると判定されたときには、平均輝度ＢＶ（Ａ）に基づいて露出制御を行う。
【００５３】
以上のような露出制御を行うことにより、雪山や夏の浜辺などの高輝度下で人物等を撮影する場合に、背景の輝度を基準に露出制御が行われ、人物等の主要被写体がアンダーになってしまうのを防ぐことができる。
【００５４】
この第１の実施の形態のカメラによれば、高輝度下での撮影において、主要被写体の露出が適正となる撮影を行うことができる。
【００５５】
（第２の実施の形態）
この第２の実施の形態によるカメラは、前述した第１の実施の形態によるカメラと同様な構成である。
【００５６】
図５は、上述した第１の実施の形態によるカメラと同様に構成される第２の実施の形態によるカメラのレリーズシーケンスの手順を説明するために示すフローチャートである。
【００５７】
すなわち、図５に示すように、まず、ステップＳ２０１では、不図示のカメラの電源スイッチがオンされたときに、各種設定値、調整値等のデータをＥＥＰＲＯＭ等の不揮発性メモリ１０８から読み出して、ＣＰＵ１０９のＲＡＭに展開する処理が行われる。
【００５８】
次に、ステップＳ２０２では、不図示のカメラの電源スイッチがオフであるか否かを判定する処理が行われ、それがオフであればレリーズシーケンスを終了し、それがオンであればステップＳ２０３の処理に進む。
【００５９】
次に、ステップＳ２０３では、１ＲＳＷ１１０がオンであるか否かの判定処理が行われ、それがオンであればステップＳ２０４の処理に進み、それがオフであれば上記ステップＳ２０２の処理に戻る。
【００６０】
次に、ステップＳ２０４では、測光処理が行われ、撮影画面内の平均輝度と中央部の輝度とが測定される。
【００６１】
次に、ステップＳ２０５では、測距処理が行われ、撮影画面内の複数の各測距エリアの測距データに基づいて、最至近選択等の方法により主要被写体を検出して被写体距離データを求める処理が行われる。
【００６２】
次に、ステップＳ２０６では、上記ステップＳ２０４の測光処理で求められた撮影画面内の平均輝度が所定輝度よりも高輝度であるかどうかの判定処理が行われる。
【００６３】
そして、ここで、それが高輝度であればステップＳ２０７の主要被写体輝度を算出する処理に進み、それが低輝度であればステップＳ２１７の処理に進む。
【００６４】
次に、ステップＳ２０７では、上記ステップＳ２０５の測距処理で検出された主要被写体輝度を算出する処理が行われる。
【００６５】
次に、ステップＳ２０８では、ステップＳ２０４の測光処理で求められた撮影画面内の平均輝度と、上記ステップＳ２０７で算出された主要被写体輝度とを比較して撮影画面内の平均輝度と主要被写体輝度との輝度差が求められる。
【００６６】
そして、ここで、その輝度差が所定値よりも大きければステップＳ２０９の処理に進み、小さければステップＳ２１８の処理に進む。
【００６７】
次に、ステップＳ２０９では、上記ステップＳ２０７で算出された主要被写体輝度を露出演算データとして選択する処理が行われる。
【００６８】
次に、ステップＳ２１０では、上記ステップＳ２０９、後述するステップＳ２１８、Ｓ２１９のいずれかで選択され輝度情報に基づいて露出演算を行うことにより、露出制御データを算出する処理が行われる。
【００６９】
次に、ステップＳ２１１では、上記ステップＳ２０５で求められた被写体距離データに基づいて不図示のピント調節用レンズの繰り出し量を演算する処理が行われる。
【００７０】
次に、ステップＳ２１２では、上記１ＲＳＷ１１０がオンであるか否かの判定処理が行われ、それがオンであればステップＳ２１３の処理に進み、それがオフであれば上記ステップＳ２０２の処理に戻る。
【００７１】
次に、ステップＳ２１３では、上記２ＲＳＷ１１１がオンであるか否かの判定処理が行われ、それがオンであればステップＳ２１４の処理に進み、それがオフであれば上記ステップＳ２１２の処理に戻る。
【００７２】
次に、ステップＳ２１４では、レンズ駆動手段１０３により、上記ステップＳ２１１で求められた繰り出し量に応じて、不図示のピント調節用レンズを繰り出す処理が行われる。
【００７３】
次に、ステップＳ２１５では、シャッタ手段１０４により、上記ステップＳ２１０で求められた露出制御データに応じて、露光処理が行われる。
【００７４】
次に、ステップＳ２１６では、フィルム給送手段１０５により、フィルムの１コマ巻き上げ処理が行われた後、上記ステップＳ２０２の処理に戻る。
【００７５】
次に、ステップＳ２１７では、上記ステップＳ２０４の測光処理により求められた撮影画面内の平均輝度と中央部の輝度を比較して撮影画面内の平均輝度と中央部の輝度との輝度差が求められる。
【００７６】
そして、ここで、中央部の輝度が所定輝度差よりも低輝度であるか否かの判定が行われ、それが低輝度であればステップＳ２１９の処理に進み、それが所定輝度差内であればステップＳ２１８の処理に進む。
【００７７】
次に、ステップＳ２１８では、上記ステップＳ２０４の測光処理により求められた撮影画面内の平均輝度を露出演算用のデータとして選択するための処理が行われる。
【００７８】
次に、ステップＳ２１９では、上記ステップＳ２０４の測光処理により求められた撮影画面内の中央部の輝度を露出演算用のデータとして選択するための処理が行われる。
【００７９】
（第２の実施の形態の要旨）
上述したように、第２の実施の形態によるカメラは、前述した第１の実施の形態によるカメラと同様な構成のカメラにおいて、まず、測光手段１０１により測光を行い、撮影画面内全体の平均輝度ＢＶ（Ａ）と、撮影画面内中央部の輝度ＢＶ（Ｃ）とを求め、測距手段１０２によって撮影画面内の中央領域を含む複数領域を測距し、最至近選択等の方法により主要被写体を検出して被写体距離データを求める。
【００８０】
次に、輝度判定手段１１２は、撮影画面内の平均輝度ＢＶ（Ａ）が所定輝度ＢＶ（ＴＨ）よりも高輝度であると判定された場合（例えば、Ｖ１０以上）には、測距手段１０２で検出した主要被写体の輝度ＢＶ（Ｍ）を第１の実施の形態と同様な方法で求め、平均輝度ＢＶ（Ａ）と主要被写体の輝度ＢＶ（Ｍ）を比較して全体の平均輝度ＢＶ（Ａ）と中央部の輝度ＢＶ（Ｃ）との差を求める。
【００８１】
そして、露出制御手段１１３は、輝度判定手段１１２によって、その輝度差が所定値（例えば、１ＢＶ）よりも大きいと判定されたときには、主要被写体輝度ＢＶ（Ｍ）に基づいて、小さいと判定されたときには平均輝度ＢＶ（Ａ）に基づいて露出制御を行う。
【００８２】
また、輝度判定手段１１２は、平均輝度ＢＶ（Ａ）が所定輝度ＢＶ（ＴＨ）よりも低輝度であると判定された場合（例えば、ＢＶ１０以下）には、測光手段１０１により求めた撮影画面内全体の平均輝度ＢＶ（Ａ）と撮影画面内中央部の輝度ＢＶ（Ｃ）とを比較して全体の平均輝度ＢＶ（Ａ）と中央部の輝度ＢＶ（Ｃ）との差を求める。
【００８３】
そして、露出制御手段１１３は、輝度判定手段１１２によって、中央部の輝度ＢＶ（Ｃ）が所定輝度差（例えば、１ＢＶ）よりも低輝度であると判定されたときには、中央部の輝度ＢＶ（Ａ）に基づいて露出制御を行い、輝度差が所定輝度差内または中央部の輝度ＢＶ（Ｃ）の方が高輝度であると判定されたときには、平均輝度ＢＶ（Ａ）に基づいて露出制御を行う。
【００８４】
以上のような露出制御を行うことにより、高輝度下での撮影時に、人物等の主要被写体がアンダーになってしまうのを防ぐことができるばかりでなく、風景撮影においても適正な露光を行うことができる。
【００８５】
この第２の実施の形態のカメラによれば、撮影シーンに応じて、最適な露出で撮影を行うことができる。
【００８６】
（第３の実施の形態）
この第３の実施の形態によるカメラは、前述した第１の実施の形態によるカメラと同様な構成である。
【００８７】
図６は、上述した第１の実施の形態によるカメラと同様に構成される第３の実施の形態によるカメラのレリーズシーケンスの手順を説明するために示すフローチャートである。
【００８８】
すなわち、図６に示すように、まず、ステップＳ３０１では、不図示のカメラの電源スイッチがオンされたときに、各種設定値、調整値等のデータをＥＥＰＲＯＭ等の不揮発性メモリ１０８から読み出して、ＣＰＵ１０９のＲＡＭに展開する処理が行われる。
【００８９】
次に、ステップＳ３０２では、不図示のカメラの電源スイッチがオフであるか否かを判定する処理が行われ、それがオフであればレリーズシーケンスを終了し、それがオンであればステップＳ３０３の処理に進む。
【００９０】
次に、ステップＳ３０３では、１ＲＳＷ１１０がオンであるか否かの判定処理が行われ、それがオンであればステップＳ３０４の処理に進み、それがオフであれば上記ステップＳ３０２の処理に戻る。
【００９１】
次に、ステップＳ３０４では、測光処理が行われ、撮影画面内の平均輝度と中央部の輝度とが測定される。
【００９２】
次に、ステップＳ３０５では、測距処理が行われ、撮影画面内の複数の各測距エリアの測距データに基づいて、最至近選択等の方法により主要被写体を検出して被写体距離データを求める処理が行われる。
【００９３】
次に、ステップＳ３０６では、上記ステップＳ３０４の測光処理で求められた撮影画面内の平均輝度が所定輝度よりも高輝度であるかどうかの判定処理が行われ、それが高輝度であればステップＳ３０７の主要被写体輝度を算出する処理に進み、それが低輝度であればステップＳ３１７の処理に進む。
【００９４】
次に、ステップＳ３０７では、上記ステップ３０５の測距処理で検出された主要被写体輝度を算出する処理が行われる。
【００９５】
次に、ステップＳ３０８では、ステップＳ３０４の測光処理で求められた撮影画面内の平均輝度と、上記ステップＳ３０７で算出された主要被写体輝度とを比較して撮影画面内の平均輝度と主要被写体輝度との輝度差が求められ、その輝度差が所定値よりも大きければステップＳ３０９の処理に進み、小さければステップＳ３１８の処理に進む。
【００９６】
次に、ステップＳ３０９では、上記ステップＳ３０７で算出された主要被写体輝度を露出演算データとして選択し、ストロボ発光要求を行うための処理が行われる。
【００９７】
次に、ステップＳ３１０では、上記ステップＳ３０９、後述するステップＳ３１８、Ｓ３１９のいずれかで選択され輝度情報、ストロボ発光要求に基づいて露出演算を行うことにより、露出制御データを算出する処理が行われる。
【００９８】
次に、ステップＳ３１１では、上記ステップＳ３０５で求められた被写体距離データに基づいて不図示のピント調節用レンズの繰り出し量を演算する処理が行われる。
【００９９】
次に、ステップＳ３１２では、上記１ＲＳＷ１１０がオンであるか否かの判定処理が行われ、それがオンであればステップＳ３１３の処理に進み、それがオフであれば上記ステップＳ３０２の処理に戻る。
【０１００】
次に、ステップＳ３１３では、上記２ＲＳＷ１１１がオンであるか否かの判定処理が行われ、それがオンであればステップＳ３１４の処理に進み、それがオフであれば上記ステップＳ３１２の処理に戻る。
【０１０１】
次に、ステップＳ３１４では、レンズ駆動手段１０３により、上記ステップＳ３１１で求められた繰り出し量に応じて、不図示のピント調節用レンズを繰り出す処理が行われる。
【０１０２】
次に、ステップＳ３１５では、シャッタ手段１０４により、上記ステップＳ３１０で求められた露出制御データに応じて、露光処理が行われる。
【０１０３】
次に、ステップＳ３１６では、フィルム給送手段１０５により、フィルムの１コマ巻き上げ処理が行われた後、上記ステップＳ３０２の処理に戻る。
【０１０４】
次に、ステップＳ３１７では、上記ステップＳ３０４の測光処理により求められた撮影画面内の平均輝度と中央部の輝度を比較して撮影画面内の平均輝度と中央部の輝度との輝度差が求められる。
【０１０５】
そして、ここで、中央部の輝度が所定輝度差よりも低輝度であるか否かの判定が行われ、それが低輝度であると判定されればステップＳ３１９の処理に進み、それが所定輝度差内または中央部の輝度の方が高輝度であるとと判定されればステップＳ３１８の処理に進む。
【０１０６】
次に、ステップＳ３１８では、上記ステップＳ３０４の測光処理により求められた撮影画面内の平均輝度を露出演算用のデータとして選択するための処理が行われる。
【０１０７】
次に、ステップＳ３１９では、上記ステップＳ３０４の測光処理により求められた撮影画面内の中央部の輝度を露出演算用のデータとして選択するための処理が行われる。
【０１０８】
（第３の実施の形態の要旨）
上述したように、第３の実施の形態によるカメラは、前述した第１の実施の形態によるカメラと同様な構成のカメラにおいて、まず、測光手段１０１により測光を行い、撮影画面内全体の平均輝度ＢＶ（Ａ）と、撮影画面内中央部の輝度ＢＶ（Ｃ）とを求め、測距手段１０２によって撮影画面内の中央領域を含む複数領域を測距し、最至近選択等の方法により主要被写体を検出して被写体距離データを求める。
【０１０９】
次に、輝度判定手段１１２は、撮影画面内の平均輝度ＢＶ（Ａ）が所定輝度ＢＶ（ＴＨ）よりも高輝度であると判定された場合（例えば、Ｖ１０以上）には、測距手段１０２で検出した主要被写体の輝度ＢＶ（Ｍ）を第１の実施の形態と同様な方法で求め、平均輝度ＢＶ（Ａ）と主要被写体の輝度ＢＶ（Ｍ）を比較して全体の平均輝度ＢＶ（Ａ）と中央部の輝度ＢＶ（Ｃ）との差を求める。
【０１１０】
そして、逆光判定手段１１４及び露出制御手段１１３は、輝度判定手段１１２によって主要被写体の輝度ＢＶ（Ｍ）が所定輝度差（例えば、１ＢＶ）より低輝度であると判定されたときには、逆光であると判定し、ストロボ１０６を発光させて露出制御を行うと共に、所定輝度差内であると判定されたときには逆光ではないと判定し、平均輝度ＢＶ（Ａ）に基づいて露出制御を行う。
【０１１１】
また、輝度判定手段１１２は、平均輝度ＢＶ（Ａ）が所定輝度ＢＶ（ＴＨ）よりも低輝度であると判定された場合（例えば、ＢＶ１０以下）には、測光手段１０１により求めた撮影画面内全体の平均輝度ＢＶ（Ａ）と撮影画面内中央部の輝度ＢＶ（Ｃ）とを比較して全体の平均輝度ＢＶ（Ａ）と中央部の輝度ＢＶ（Ｃ）との差を求める。
【０１１２】
そして、逆光判定手段１１４及び露出制御手段１１３は、輝度判定手段１１２によって中央部の輝度ＢＶ（Ｃ）が所定輝度差（例えば、１ＢＶ）よりも低輝度であると判定されたときには、逆光であると判定し、ストロボ１０６を発光させて露出制御を行い、輝度差が所定輝度差内または中央部の輝度ＢＶ（Ｃ）の方が高輝度であると判定されたときには逆光ではないと判定し、平均輝度ＢＶ（Ａ）に基づいて露出制御を行う。
【０１１３】
以上のような露出制御を行うことにより、背景が高輝度で主要被写体が逆光状態であるときの撮影において、迷光やクロストーク等の影響により測光手段１０１での逆光判定が困難な場合でも、測光手段１０１で測定した撮影画面内の平均輝度ＢＶ（Ａ）と測距手段１０２で検出した主要被写体の輝度ＢＶ（Ｍ）との関係により逆光判定を行うので、人物等の主要被写体がアンダーになってしまうのを防ぎ、適正な露光を行うことができる。
【０１１４】
この第３の実施の形態のカメラによれば、背景が高輝度の場合には測光手段１０１での測光値と測距手段１０２での測光値との関係に基づいて逆光撮影であるか否かを判断し露出制御を行うので、撮影シーンに応じて、最適な露出で撮影を行うことができる。
【０１１５】
（第４の実施の形態）
この第４の実施の形態によるカメラは、前述した第１の実施の形態によるカメラと同様な構成である。
【０１１６】
図７は、上述した第１の実施の形態によるカメラと同様に構成される第４の実施の形態によるカメラのレリーズシーケンスの手順を説明するために示すフローチャートである。
【０１１７】
すなわち、図７に示すように、まず、ステップＳ４０１では、不図示のカメラの電源スイッチがオンされたときに、各種設定値、調整値等のデータをＥＥＰＲＯＭ等の不揮発性メモリ１０８から読み出して、ＣＰＵ１０９のＲＡＭに展開する処理が行われる。
【０１１８】
次に、ステップＳ４０２では、不図示のカメラの電源スイッチがオフであるか否かを判定する処理が行われ、それがオフであればレリーズシーケンスを終了し、それがオンであればステップＳ４０３の処理に進む。
【０１１９】
次に、ステップＳ４０３では、１ＲＳＷ１１０がオンであるか否かの判定処理が行われ、それがオンであればステップＳ４０４の処理に進み、それがオフであれば上記ステップＳ４０２の処理に戻る。
【０１２０】
次に、ステップＳ４０４では、測光処理が行われ、撮影画面内の平均輝度と中央部の輝度とが測定される。
【０１２１】
次に、ステップＳ４０５では、測距処理が行われ、撮影画面内の複数の各測距エリアの測距データに基づいて、最至近選択等の方法により主要被写体を検出して被写体距離データを求める処理が行われる。
【０１２２】
次に、ステップＳ４０６では、上記ステップＳ４０４の測光処理で求められた撮影画面内の平均輝度が所定輝度よりも高輝度であるかどうかの判定処理が行われ、それが高輝度であればステップＳ４０７の主要被写体輝度を算出する処理に進み、それが低輝度であればステップＳ４１７の処理に進む。
【０１２３】
次に、ステップＳ４０７では、上記ステップ４０５の測距処理で検出された主要被写体輝度を算出すると共に、複数の測距領域の被写体像データに基づいて逆光判定の処理が行われる。
【０１２４】
次に、ステップＳ４０８では、上記ステップＳ４０７の逆光判定により逆光撮影であると判定された場合にはステップＳ４０９の処理に進み、逆光撮影でないと判定された場合にはステップＳ４１８の処理に進む。
【０１２５】
次に、ステップＳ４０９では、上記ステップＳ４０７で算出した主要被写体輝度を露出演算用のデータとして選択し、ストロボ発光要求を行うための処理が行われる。
【０１２６】
次に、ステップＳ４１０では、上記ステップＳ４０９、後述するステップＳ４１８、Ｓ４１９のいずれかで選択され輝度情報、ストロボ発光要求に基づいて露出演算を行うことにより、露出制御データを算出する処理が行われる。
【０１２７】
次に、ステップＳ４１１では、上記ステップＳ４０５で求められた被写体距離データに基づいて不図示のピント調節用レンズの繰り出し量を演算する処理が行われる。
【０１２８】
次に、ステップＳ４１２では、上記１ＲＳＷ１１０がオンであるか否かの判定処理が行われ、それがオンであればステップＳ４１３の処理に進み、それがオフであれば上記ステップＳ４１２の処理に戻る。
【０１２９】
次に、ステップＳ４１３では、上記２ＲＳＷ１１１がオンであるか否かの判定処理が行われ、それがオンであればステップＳ４１４の処理に進み、それがオフであれば上記ステップＳ４１２の処理に戻る。
【０１３０】
次に、ステップＳ４１４では、レンズ駆動手段１０３により、上記ステップＳ３１１で求められた繰り出し量に応じて、不図示のピント調節用レンズを繰り出す処理が行われる。
【０１３１】
次に、ステップＳ４１５では、シャッタ手段１０４により、上記ステップＳ４１０で求められた露出制御データに応じて、露光処理が行われる。
【０１３２】
次に、ステップＳ４１６では、フィルム給送手段１０５により、フィルムの１コマ巻き上げ処理が行われた後、上記ステップＳ４０２の処理に戻る。
【０１３３】
次に、ステップＳ４１７では、上記ステップＳ４０４の測光処理により求められた撮影画面内の平均輝度と中央部の輝度を比較して撮影画面内の平均輝度と中央部の輝度との輝度差が求められ、中央部の輝度が所定輝度差よりも低輝度であるか否かの判定が行われ、それが低輝度であればステップＳ４１９の処理に進み、それが所定輝度差内または中央部の輝度の方が高輝度であればステップＳ４１８の処理に進む。
【０１３４】
次に、ステップＳ４１８では、上記ステップＳ４０４の測光処理により求められた撮影画面内の平均輝度を露出演算用のデータとして選択するための処理が行われる。
【０１３５】
次に、ステップＳ４１９では、上記ステップＳ４０４の測光処理により求められた撮影画面内の中央部の輝度を露出演算用のデータとして選択するための処理が行われる。
【０１３６】
（第４の実施の形態の要旨）
上述したように、第４の実施の形態によるカメラは、前述した第１の実施の形態によるカメラと同様な構成のカメラにおいて、まず、測光手段１０１により測光を行い、撮影画面内全体の平均輝度ＢＶ（Ａ）と、撮影画面内中央部の輝度ＢＶ（Ｃ）とを求め、測距手段１０２によって撮影画面内の中央領域を含む複数領域を測距し、最至近選択等の方法により主要被写体を検出して被写体距離データを求める。
【０１３７】
次に、逆光判定手段１１４は、輝度判定手段１１２によって、撮影画面内の平均輝度ＢＶ（Ａ）が所定輝度ＢＶ（ＴＨ）よりも高輝度であると判定された場合（例えば、Ｖ１０以上）には、測距手段１０２で検出した被写体像データに基づいて、主要被写体が逆光状態であるかどうかを判定する。
【０１３８】
次に、この主要被写体が逆光状態であるかどうかの判定について、図８及び図９を用いて説明する。
【０１３９】
図８は、逆光撮影シーン及びそのときの被写体像データの一例を示す図であり、図８の（ａ）は逆光撮影シーンであって、図中の参照符号４０１は主要被写体である人物であり、参照符号４０２は測距手段１０２の撮影画面内での測距領域である。
【０１４０】
また、図８の（ｂ）は逆光撮影時の被写体像データと各測距領域の関係を示す図であって、図中の参照符号４０３は被写体像データであり、参照符号４０４、４０５、４０６、４０７、４０８は各測距領域である。
【０１４１】
図９は、順光撮影シーン及びそのときの被写体像データの一例を示す図であり、図９の（ａ）は順光撮影シーンであって、図中の参照符号４０１は主要被写体である人物であり、参照符号４０２は測距手段１０２の撮影画面内での測距領域である。
【０１４２】
また、図９の（ｂ）は、順光撮影時の被写体像データと各測距領域の関係を示す図であり、図中の参照符号４０３は被写体像データであり、参照符号４０４、４０５、４０６、４０７、４０８は各測距領域である。
【０１４３】
すなわち、例えば、図８の（ａ）に示すような主要被写体である人物４０１が存在している撮影シーンの場合には、図８の（ｂ）に示すような被写体像データ４０３が得られるので、逆光判定手段１１４は、輝度判定手段１１２による判定結果に基づいて主要被写体である人物４０１の測距を行っている測距領域４０５と他の測距領域４０４、４０６、４０７、４０８の被写体像データ４０１の明暗を比較すると、主要被写体の測距領域４０５は他の測距領域４０４、４０６、４０７、４０８に対して低輝度であるので、逆光であると判定する。
【０１４４】
また、図９の（ａ）に示すような主要被写体である人物４０１が存在している撮影シーンの場合には、図９の（ｂ）に示すような被写体像データ４０３が得られ、主要被写体である人物４０１の測距を行っている測距領域４０７の被写体像データ４０３だけをみると主要被写体が低輝度であるようにみえるが、実際は背景の自動車で反射した太陽光の影響によりそのようにみえるだけであり、主要被写体１の測距領域４０７と他の測距領域４０４、４０５、４０６、４０８の被写体像データ４０１の明暗を比較すると、主要被写体の測距領域４０７は他の測距領域４０４、４０５、４０６、４０８に対して輝度差が小さいので、逆光判定手段１１４は逆光ではないと判定する。
【０１４５】
このような逆光判定により撮影シーンが逆光であると判定された場合には、ストロボ１０６を発光させて露出制御を行い、逆光ではないと判定された場合には、露出制御手段１１３は、平均輝度ＢＶ（Ａ）に基づいて露出制御を行う。
【０１４６】
また、逆光判定手段１１４及び露出制御手段１１３は、輝度判定手段１１２によって平均輝度ＢＶ（Ａ）が所定輝度ＢＶ（ＴＨ）よりも低輝度であると判定された場合（例えば、ＢＶ１０以下）には、測光手段１０１により求めた撮影画面内全体の平均輝度ＢＶ（Ａ）と撮影画面内中央部の輝度ＢＶ（Ｃ）とを比較して平均輝度ＢＶ（Ａ）と中央部の輝度ＢＶ（Ｃ）との輝度差を求め、中央部の輝度ＢＶ（Ｃ）が所定輝度差（例えば、１ＢＶ）よりも低輝度であると判定されたときには逆光であると判定し、ストロボ１０６を発光させて露出制御を行い、輝度差が所定輝度差内または中央部の輝度ＢＶ（Ｃ）の方が高輝度であると判定されたときには逆光ではないと判定し、平均輝度ＢＶ（Ａ）に基づいて露出制御を行う。
【０１４７】
以上のような第４の実施の形態のカメラによれば、被写体像データに基づいて逆光判定を行うので、撮影シーンに応じて、より最適な露出で撮影を行うことができる。
【０１４８】
【発明の効果】
従って、以上説明したように、本発明によれば、従来の技術では、測光が困難なシーンである高輝度の逆光撮影時の問題を解決し、美しい写真を撮影することのできるカメラを提供することができる。
【図面の簡単な説明】
【図１】図１は、本発明のカメラの主要部の構成を示すブロック図である。
【図２】図２は、本発明のカメラにおける測光手段１０１の内部構成を示すブロック図である。
【図３】図３は、本発明のカメラにおける前記測距手段１０２の内部構成を示すブロック図である。
【図４】図４は、本発明の第１の実施の形態によるカメラのレリーズシーケンスの手順を説明するために示すフローチャートである。
【図５】図５は、本発明の第２の実施の形態によるカメラのレリーズシーケンスの手順を説明するために示すフローチャートである。
【図６】図６は、本発明の第３の実施の形態によるカメラのレリーズシーケンスの手順を説明するために示すフローチャートである。
【図７】図７は、本発明の第４の実施の形態によるカメラのレリーズシーケンスの手順を説明するために示すフローチャートである。
【図８】図８の（ａ），（ｂ）は、本発明の第４の実施の形態において主要被写体が逆光状態であるかどうかの判定を説明するために、逆光撮影シーン及びそのときの被写体像データの一例を示す図である。
【図９】図９の（ａ），（ｂ）は、本発明の第４の実施の形態において主要被写体が逆光状態であるかどうかの判定を説明するために、順光撮影シーン及びそのときの被写体像データの一例を示す図である。
【符号の説明】
１０１…測光手段、
１０２…測距手段、
１０３…レンズ駆動手段、
１０４…シャッタ手段、
１０５…フィルム給送手段、
１０６…ストロボ（電子閃光手段）、
１０７…焦点距離検出手段、
１０８…ＥＥＰＲＯＭ等の不揮発性メモリ、
１０９…ＣＰＵ、
１１０…ファーストレリーズスイッチ（１ＲＳＷ）、
１１１…セカンドレリーズスイッチ（２ＲＳＷ）、
１１２…輝度判定手段、
１１３…露出制御手段、
１１４…逆光判定手段、
１２１…測光レンズ、
１２２…平均測光センサ、
１２３…測光用積分制御手段、
１２４…アナログ／デジタル（Ａ／Ｄ）変換手段、
１２５…スポット測光センサ、
１３１ａ、１３１ｂ…受光レンズ、
１３２ａ、１３２ｂ…ラインセンサ、
１３３…測距用積分制御手段、
１３４…読み出し手段。
４０１…主要被写体である人物、
４０２…撮影画面内での測距領域、
４０３…は被写体像データ、
４０４、４０５、４０６、４０７、４０８…測距領域。
【図１】
0004169524.tif 000002
【図２】
0004169524.tif 000003
【図３】
0004169524.tif 000004
【図４】
0004169524.tif 000005
【図５】
0004169524.tif 000006
【図６】
0004169524.tif 000007
【図７】
0004169524.tif 000008
【図８】
0004169524.tif 000009
【図９】
0004169524.tif 000010